(57)【要約】【課題】ドアパネルが開いて乗客がかごに対して乗り降りする際に、そのドアパネルの動きに合わせて的確にドア敷居に対する注意喚起力を高め、利便性よく安全に乗り降りをすることが可能となるエレベータのドア敷居照明装置を提供する。【解決手段】エレベータ乗り場の乗降口に設けられ、敷居９に沿って移動するドアパネル８ａ，８ｂを有する乗り場ドア装置８、及び昇降路内を昇降するかごの出入口に設けられ、敷居１７に沿って移動するドアパネル１６ａ，１６ｂを有するかごドア装置１６と、各敷居９，１７に、その長手方向に沿って一連に並べて設けられた複数の発光素子としてのＬＥＤ２２ａ，２３ａとを備え、各ドアパネル８ａ，８ｂ，１６ａ，１６ｂの開閉移動時に、一連に並んだＬＥＤ２２ａ，２３ａがその移動方向と同じ方向に順々に点灯するように制御制御される。【選択図】    図４
2010126277.tif 000002
【特許請求の範囲】
【請求項１】
エレベータのドアパネルの移動をガイドする敷居と、
前記敷居に、その長手方向に沿って一連に並べて設けられた複数の発光素子と、
前記発光素子を前記ドアパネルの移動時にその移動方向と同じ方向に順々に点灯させる制御を行なう制御手段と、
を具備することを特徴とするエレベータのドア敷居照明装置。
【請求項２】
エレベータ乗り場の乗降口に設けられ、敷居に沿って移動するドアパネルを有する乗り場ドア装置、及び昇降路内を昇降するかごの出入口に設けられ、敷居に沿って移動するドアパネルを有するかごドア装置と、
前記各敷居に、その長手方向に沿って一連に並べて設けられた複数の発光素子と、
前記各敷居の発光素子を前記各ドアパネルの移動時にその移動方向と同じ方向に順々に点灯させる制御を行なう制御手段と、
を具備することを特徴とするエレベータのドア敷居照明装置。
【請求項３】
前記発光素子はＬＥＤからなり、前記敷居の上面に埋め込んで設けられていることを特徴とする請求項１又は２に記載のエレベータのドア敷居照明装置。
【発明の詳細な説明】
【技術分野】
【０００１】
この発明は、エレベータを利用する乗客への利便性、安全性を高めるために、乗り場ドア装置やかごドア装置のドア開閉動作に合わせてドア敷居を照明するエレベータのドア敷居照明装置に関する。
【背景技術】
【０００２】
建屋の各階のエレベータ乗り場には、かごが昇降する昇降路に通じる乗降口が設けられ、これら乗降口にそれぞれ乗り場ドア装置が設置されている。昇降路内で昇降するかごは前面に出入口を有し、この出入口にかごドア装置が設置されている。そしてかごが所定の階床に移動して着床した際に、かごドア装置及び乗場ドア装置が互いに連動して開き、これによりエレベータ乗り場とかごとの間での乗客の乗り降りが可能となる。
各ドア装置は、それぞれドアパネルを備え、これらドアパネルが左右に移動することで乗降口及び出入口が開閉される。各ドア装置のドアパネルは、乗り場に設置された敷居及びかごに設置された敷居の上にそれぞれ配置され、これら敷居に沿って移動する。各ドアパネルが開いたときに、乗客は前記敷居の上を通って乗り降りする。
【０００３】
乗り場の敷居とかごの敷居との間には隙間や、場合によっては段差が生じており、したがって乗客はドアパネルが開いたときにその敷居の状況に気を配り、注意を払いながら乗り降りする必要がある。特に、高齢者や身体の不自由な乗客にとっては、ドアパネルの開きの動作に合わせて敷居の状況を的確に把握する必要がある。
【０００４】
そこで、実開平４−９１９７４号公報では、乗り場の敷居とかごの敷居との間の隙間にその下方から光を当てることで、その隙間を明確化させる技術が提案されている。
【特許文献１】実開平４−９１９７４号公報
【発明の開示】
【発明が解決しようとする課題】
【０００５】
しかしながら、実開平４−９１９７４号公報のものでは、敷居間の隙間にただ単に光を当てるだけであり、このため敷居に対する注意喚起力が弱く、乗客が敷居の隙間や段差に気付かずに往々にして足を引っ掛けてしまうようなことが起こり得る。
【０００６】
この発明はこのような点に着目してなされたもので、その目的とするところは、ドアパネルが開いて乗客がかごに対して乗り降りする際に、そのドアパネルの動きに合わせて的確にドア敷居に対する注意喚起力を高め、利便性よく安全に乗り降りをすることが可能となるエレベータのドア敷居照明装置を提供することにある。
【課題を解決するための手段】
【０００７】
このような目的を達成するために、請求項１の発明は、エレベータのドアパネルの移動をガイドする敷居と、前記敷居に、その長手方向に沿って一連に並べて設けられた複数の発光素子と、前記発光素子を前記ドアパネルの移動時にその移動方向と同じ方向に順々に点灯させる制御を行なう制御手段とを具備することを特徴としている。
請求項２の発明は、エレベータ乗り場の乗降口に設けられ、敷居に沿って移動するドアパネルを有する乗り場ドア装置、及び昇降路内を昇降するかごの出入口に設けられ、敷居に沿って移動するドアパネルを有するかごドア装置と、前記各敷居に、その長手方向に沿って一連に並べて設けられた複数の発光素子と、前記各敷居の発光素子を前記各ドアパネルの移動時にその移動方向と同じ方向に順々に点灯させる制御を行なう制御手段とを具備することを特徴としている。
請求項３の発明は、前記発光素子がＬＥＤからなり、前記敷居の上面に埋め込んで設けられていることを特徴としている。
【発明の効果】
【０００８】
この発明によれば、ドアパネルが開いて乗客がかごに対して乗り降りする際に、そのドアパネルの動きに合わせて的確にドア敷居に対する注意喚起力を高め、利便性よく安全に乗り降りをすることが可能となる。
【発明を実施するための最良の形態】
【０００９】
以下、この発明の実施の形態について図面を参照して説明する。図１にはエレベータ乗り場１の外観図を、図２にはエレベータ乗り場１の平断面図を、図３にはエレベータ乗り場１の側断面図をそれぞれ示してある。
【００１０】
エレベータ乗り場１における壁面２には、その内側の昇降路３に通じる乗降口４が形成されている。この乗降口４には三方枠５が据え付けられている。乗降口４の背面部には、この乗降口４を開閉する乗り場ドア装置８が設けられている。
【００１１】
乗り場ドア装置８は、例えば一対のドアパネル８ａ，８ｂが左右に移動して乗降口４を開閉する両開き式構造となっている。乗降口４の背面下部には、乗り場１の床面と面一に敷居９が据え付けられ、この敷居９の上面にその長手方向に沿ってガイド溝１０が形成されている。
各ドアパネル８ａ，８ｂの下端部には、図３に示すようにそれぞれガイドシュー１１が取り付けられ、これらガイドシュー１１が前記ガイド溝１０内に摺動自在に嵌合され、これらガイドシュー１１とガイド溝１０とによりドアパネル８ａ，８ｂが敷居９に沿って左右に移動するようにガイドされる。
壁面２の内側の昇降路３内には、図２に示すように、かご１４が吊り下げられ、このかご１４が昇降路３内で昇降移動し、エレベータ乗り場１でのかご呼びに応じてかご１４がそのエレベータ乗り場１に移動して乗降口４に対向するように着床停止する。
かご１４は前面に出入口１５を有し、この出入口１５にかごドア装置１６が設けられている。このかごドア装置１６は、乗り場ドア装置８に対応する一対のドアパネル１６ａ，１６ｂを備え、これらドアパネル１６ａ，１６ｂが左右に移動して出入口１５を開閉する両開き式構造となっている。出入口１５の下部には敷居１７が据え付けられ、この敷居１７の上面にその長手方向に沿ってガイド溝１８が形成されている。
各ドアパネル１６ａ，１６ｂの下端部には、図３に示すようにそれぞれガイドシュー１９が取り付けられ、これらガイドシュー１９が前記ガイド溝１８内に摺動自在に嵌合され、これらガイドシュー１９とガイド溝１８とによりドアパネル１６ａ，１６ｂが敷居１７に沿って左右に移動するようにガイドされる。
かご１４がエレベータ乗り場１に着床して停止した際には、図２及び図３に示すように乗り場１の敷居９とかご１４の敷居１７とが互いに近接して並び、この状態において、各ドアパネル８ａ，８ｂ，１６ａ，１６が開き、これによりかご１４に対する乗客の乗り降りが可能となる。図２は、各ドアパネル８ａ，８ｂ，１６ａ，１６ｂが開いたときにの状態を示してある。乗客の乗り降りが終了した後には、各ドアパネル８ａ，８ｂ，１６ａ，１６が閉じ、かご１４が次の目的階に向って移動する。
乗り場１の敷居９の上面及びかご１４の敷居１７の上面には、それぞれその長手方向に沿って延びる発光部２２，２３が設けられている。これら発光部２２，２３は、発光素子としての多数のＬＥＤ（発光ダイオード）２２ａ，２３ａを敷居９，１７の長手方向沿いに互いに隣接して一連に配列させてなる。各ＬＥＤ２２ａ，２３ａは敷居９，１７の上面と面一となるように敷居９，１７に埋め込まれている。各ＬＥＤ２２ａ，２３ａは、例えば赤色に発光する。
【００１２】
各発光部２２，２３は、乗降口４及び出入口１５の間口の幅と同じかそれよりやや大きい長さに渡って延びている。そして、乗り場１の敷居９の発光部２２は、乗り場１側から見てドアパネル８ａ，８ｂよりも手前側の敷居９の上面に配置され、ドアパネル８ａ，８ｂの開閉に関わらず常に乗り場１側に露出する状態にあり、かご１４の敷居１７の発光部２３は、かご１４の内部側から見てドアパネル１６ａ，１６ｂよりも手前側の敷居１７の上面に配置され、ドアパネル１６ａ，１６ｂの開閉に関わらず常にかご１４の内部側に露出する状態にある。
昇降路３の内部、あるいは昇降路３の上部の機械室（図示せず）にはエレベータの運行を制御する制御手段としての制御盤２５が設けられ、この制御盤２５によりかご１４の昇降移動が制御され、かご１４が所定のエレベータ乗り場１に着床した際にかごドア装置１６の開閉動作が制御され、さらに各発光部２２，２３の点灯、消灯の制御が行なわれる。なお、乗り場ドア装置８は、制御盤２５により制御されるかごドア装置１６の動作に連動して開閉動作する。
【００１３】
次に作用について説明する。
【００１４】
かご１４の昇降移動時には、乗り場ドア装置８及びかごドア装置１６が共に閉じており、また各発光部２２，２３の各ＬＥＤ２２ａ，２３ａが消灯している。そして、かご１４が所定のエレベータ乗り場１に着床して停止した際に、かごドア装置１６が制御盤２５による制御で開き、またこのかごドア装置１６に連動して乗り場ドア装置８が開く。すなわち、乗り場ドア装置８のドアパネル８ａ，８ｂ及びかごドア装置１６のドアパネル１６ａ，１６ｂがそれぞれ敷居９，１７の中間部の戸当り側端部を境にして一方側のドアパネル８ａ，１６ａが左側に移動し、他方側のドアパネル８ｂ，１６ｂが右側に移動する。
【００１５】
この際、制御盤２５による制御で、図４（Ａ）に示すように、各敷居９，１７の上面における各発光部２２，２３のＬＥＤ２２ａ，２３ａが、敷居９，１７の中間部を中心にして、つまりドアパネル８ａ，８ｂ，１６ａ，１６ｂの戸当り部を境にして、そのドアパネル８ａ，８ｂ，１６ａ，１６ｂの開き方向に順々に点灯する。ＬＥＤ２２ａ，２３ａが順々に点灯する速度は、ドアパネル８ａ，８ｂ，１６ａ，１６ｂの開きの速度とほぼ同じである。そして、ドアパネル８ａ，８ｂ，１６ａ，１６ｂが全開したときに、ＬＥＤ２２ａ，２３ａのすべてが点灯し、敷居９，１７の上面にそのＬＥＤ２２ａ，２３ａの点灯による光の帯が形成される。
【００１６】
このように、ドアパネル８ａ，８ｂ，１６ａ，１６ｂが開くときに、その開きの方向にＬＥＤ２２ａ，２３ａが順々に点灯して敷居９，１７の上面に光の流れが形成され、したがってドアパネル８ａ，８ｂ，１６ａ，１６ｂが開いてかご１４に対して乗り降りしようとする乗客は、その敷居９，１７に目が向き、敷居９，１７間の隙間や段差に気が付き、つまずいたり足を引っ掛けたりするようなことなく、安全に乗り降りすることが可能となる。
乗客の乗り降りが終了し、ドアパネル８ａ，８ｂ，１６ａ，１６ｂが閉じるときには、まずその直前に各ＬＥＤ２２ａ，２３ａが一斉に消灯する。そしてその直後に、図４（Ｂ）に示すように、ドアパネル８ａ，８ｂ，１６ａ，１６ｂの閉じ方向の動きに合わせて、各発光部２２，２３のＬＥＤ２２ａ，２３ａがその両端側の端部のものから敷居９，１７の中間部に向って順々に点灯し、ドアパネル８ａ，８ｂ，１６ａ，１６ｂの動きに同期する光の流れが形成される。
【００１７】
したがって、乗客は、ドアパネル８ａ，８ｂ，１６ａ，１６ｂが閉じかかっていることをＬＥＤ２２ａ，２３ａの点灯の流れで明確に知ることができるとともに、敷居９，１７に対する注意力を集中させて安全な行動をとることが可能となる。ドアパネル８ａ，８ｂ，１６ａ，１６ｂが全閉したときには、各ＬＥＤ２２ａ，２３ａが消灯し、これによりドアパネル８ａ，８ｂ，１６ａ，１６ｂが全閉したことを的確に知ることができる。
以上のように、このドア敷居照明装置によれば、ドアパネルが開いて乗客がかごに対して乗り降りする際に、そのドアパネルの動きに合わせて発光素子が順々に点灯するため、的確にドア敷居に対する注意喚起力を高めことができ、これにより利便性よく安全に乗り降りをすることが可能となる。また、ドアパネルの動きに合わせて発光素子が順々に点灯することにより、エレベータとしての視覚的な高級感が高まる。
なお、前記実施形態では、一対のドアパネルが左右に移動する両開き式のドア装置における敷居の場合であるが、一つのドアパネルが左右に移動するドア装置における敷居、あるいは複数のドアパネルが前後に段違い状に配置し、その複数のドアパネルが同じ方向に異なる速度で移動する多段速片開き式のドア装置などにおける敷居に適用する場合であってもよい。
【図面の簡単な説明】
【００１８】
【図１】この発明の一実施形態に係るエレベータのドア敷居照明装置を示す斜視図。
【図２】そのドア敷居照明装置の平面図。
【図３】そのドア敷居照明装置の断面図。
【図４】そのドア敷居照明装置の作用を説明するための平面図。
【符号の説明】
【００１９】
１…エレベータ乗り場
２…壁面
３…昇降路
４…乗降口
５…三方枠
８…乗り場ドア装置
８ａ．８ｂ…ドアパネル
９…敷居
１０…ガイド溝
１１…ガイドシュー
１５…出入口
１６…ドア装置
１６ａ．１６ｂ…ドアパネル
１７…敷居
１８…ガイド溝
１９…ガイドシュー
２２．２３…発光部
２２ａ．２３ａ…ＬＥＤ
２５…制御盤
【図１】
2010126277.tif 000003
【図２】
2010126277.tif 000004
【図３】
2010126277.tif 000005
【図４】
2010126277.tif 000006